(57)【要約】【課題】コピー処理におけるユーザ利便性を向上させることを目的とする。【解決手段】外部メディアに保持されたコンテンツを再生可能なマルチメデイア再生装置２０である。格納部８０には、再生対象となるコンテンツが保持される。コピー制御部８１は、ユーザの指示に応じて外部メディアに保持されたフォルダの中からコピー対象のフォルダを特定し、特定したフォルダを格納部８０にコピーする。コピー制御部８１は、コピー対象のフォルダにコピーが禁止されたコンテンツが含まれているか否かを判定し、フォルダにコピーが禁止されたコンテンツが含まれていると判定した場合、フォルダに含まれるコンテンツのうちコピーが禁止されていないコンテンツのみを一括して格納部８０にコピーする。【選択図】図２
2008077443.tif 000002
【特許請求の範囲】
【請求項１】
外部メディアに保持されたコンテンツを再生可能な再生装置であって、
ユーザの操作を介してコンテンツのコピーに関する指示を取得する操作部と、
再生対象となるコンテンツを保持可能な格納部と、
前記操作部により取得されるユーザの指示に応じて、前記外部メディアに設定されたフォルダの中からコピー対象のフォルダを特定し、該特定したフォルダを前記格納部にコピーするコピー制御部と、を備え、
前記コピー制御部は、前記コピー対象のフォルダにコピーが禁止されたコンテンツが含まれているか否かを判定し、当該フォルダにコピーが禁止されたコンテンツが含まれていると判定した場合、当該フォルダに含まれるコンテンツのうちコピーが禁止されていないコンテンツのみを一括して前記格納部にコピーする
ことを特徴とする再生装置。
【請求項２】
請求項１に記載の再生装置であって、
前記コピー対象のフォルダにコピーが禁止されたコンテンツが含まれていると前記コピー制御部が判定した場合、ユーザにこれを報知する報知画面の画像データを生成する表示制御部と、
前記表示制御部が生成した報知画面の画像データを表示装置へ出力する表示出力部と、
を備えたことを特徴とする再生装置。
【請求項３】
外部メディアに保持されたコンテンツを再生可能な再生装置が実行するコピー制御方法であって、
操作部が、ユーザの操作を介してコンテンツのコピーに関する指示を取得する指示取得ステップと、
前記操作部により取得されるユーザの指示に応じて、前記外部メディアに設定されたフォルダの中からコピー対象のフォルダを、コピー制御部が特定する対象特定ステップと、
前記コピー対象のフォルダを、前記コピー制御部が前記マルチメディア再生装置の格納部にコピーする実行ステップと、を備え、
前記実行ステップは、前記コピー対象のフォルダにコピーが禁止されたコンテンツが含まれているか否かを前記コピー制御部が判定する判定ステップと、この判定ステップでコピーが禁止されたコンテンツが含まれていると判定した場合、前記フォルダに含まれるコンテンツのうちコピーが禁止されていないコンテンツのみを一括して前記格納部にコピーする一括処理ステップと、を備えた
ことを特徴とするコピー制御方法。
【請求項４】
請求項３に記載のコピー制御方法であって、
前記判定ステップで、前記コピー対象のフォルダにコピーが禁止されたコンテンツが含まれていると前記コピー制御部が判定した場合、ユーザにこれを報知する報知画面の画像データを表示制御部が生成する報知画面生成ステップと、
前記報知画面生成ステップで生成した報知画面の画像データを、表示出力部が表示装置へ出力するデータ出力ステップと、
を備えたことを特徴とするコピー制御方法。
【請求項５】
外部メディアに保持されたコンテンツを再生可能であり且つ格納部を有する再生装置のコンピュータに実行させるコピー制御プログラムであって、
操作部が、ユーザの操作を介してコンテンツのコピーに関する指示を取得する指示取得ステップと、
前記操作部により取得されるユーザの指示に応じて、前記外部メディアに設定されたフォルダの中からコピー対象のフォルダを、コピー制御部が特定する対象特定ステップと、
前記コピー対象のフォルダにコピーが禁止されたコンテンツが含まれているか否かを、前記コピー制御部が判定する判定ステップと、
前記判定ステップで前記フォルダにコピーが禁止されたコンテンツが含まれていると判定した場合、前記フォルダに含まれるコンテンツのうちコピーが禁止されていないコンテンツのみを一括して前記格納部にコピーする一括処理ステップと、
を含む複数のステップを前記コンピュータに実行させるコピー制御プログラム。
【請求項６】
請求項５に記載のコピー制御プログラムであって、
前記複数のステップは、
前記判定ステップで前記コピー対象のフォルダにコピーが禁止されたコンテンツが含まれていると前記コピー制御部が判定した場合、ユーザにこれを報知する報知画面の画像データを表示制御部が生成する報知画面生成ステップと、
前記報知画面生成ステップで生成した報知画面の画像データを、表示出力部が表示装置へ出力するデータ出力ステップと、を含む
ことを特徴とするコピー制御プログラム。
【請求項７】
請求項５又は請求項６に記載のコピー制御プログラムが記憶されたコンピュータ読み取り可能な記憶媒体。
【請求項８】
請求項１に記載の再生装置であって、
表示出力部と表示制御部とを備え、
前記操作部は、ユーザの操作を介してコンテンツ再生に関する指示を取得し、
前記格納部は、コンテンツ再生機能の種類を象徴する複数の機能アイコンのデータと、コンテンツの項目を象徴する複数のコンテンツアイコンのデータと、フォルダを象徴するフォルダアイコンのデータと、を保持し、
前記表示出力部は、前記コンテンツの再生に関するメニュー画面の画像データを表示装置へ出力すると共に、前記外部メディア及び前記格納部に保持されたコンテンツのうち前記操作部により取得されるユーザの指示に対応したコンテンツを前記外部メディア又は前記格納部から取得して再生し、
前記表示制御部は、前記格納部から取得した前記複数の機能アイコンを画面上における特定の方向に配列した第１配列と、前記格納部から取得した前記コンテンツアイコン及び前記フォルダアイコンの少なくとも一方を含む複数のアイコンを画面上における前記第１配列と交叉する方向に配列した第２配列とを含む二次元配列で、前記メニュー画面の画像データを生成し、
前記表示制御部は、前記メニュー画面の表示態様として予め定められた複数の表示態様の中から何れの表示態様が設定されているかを判別し、設定されている表示態様に応じて設定されている表示態様に対して予め設定された表示条件に従って、前記メニュー画面の画像データを生成し、
前記複数の表示態様は、前記外部メディア及び前記格納部に保持された全てのコンテンツのうち表示対象とするフォルダが互いに相違する第１の表示態様と第２の表示態様とを含む
ことを特徴とする再生装置。
【発明の詳細な説明】
【技術分野】
【０００１】
本発明は、再生装置、コピー制御方法、コピー制御プログラム及びそのプログラムを記憶したコンピュータ読み取り可能な記憶媒体に関する。
【背景技術】
【０００２】
特開２００４−３５６７７４号公報には、コンテンツ再生機能の種類を象徴する複数の機能アイコンと、コンテンツの項目を象徴する複数のコンテンツアイコンとを二次元配列した形でメニュー画面を表示するマルチメディア再生装置が開示されている。コンテンツとは、動画、静止画、音声、テキスト、プログラムを含む情報内容のことである。コンテンツ再生機能とは、ハードディスク、光ディスク、メモリカード、放送回線、ネットワークなど複数種の情報伝達手段を通じて取得したコンテンツを再生、表示、または実行する機能のことである。このようなメニュー画面においては、ユーザは、複数種類の再生機能からどのようなコンテンツを選択可能であるかを直感的に把握することができると共に、所望のコンテンツを簡単に選択することができる。
【０００３】
【特許文献１】特開２００４−３５６７７４号公報
【発明の開示】
【発明が解決しようとする課題】
【０００４】
ところで、外部メディアから上記装置にコンテンツをコピーする際に、外部メディアのファイルを指定してコピーする場合がある。しかし、指定したファイルにコピーが禁止されているコンテンツが含まれていると、コピー処理が都度中断するなどの不都合が生じる可能性がある。
【０００５】
本発明は上述の課題に鑑みてなされたものであり、コピー処理におけるユーザ利便性を向上させることを目的とする。
【課題を解決するための手段】
【０００６】
本発明の再生装置は、外部メディアに保持されたコンテンツを再生可能なマルチメデイア再生装置であって、操作部と格納部とコピー制御部とを備える。操作部は、ユーザの操作を介してコンテンツのコピーに関する指示を取得する。格納部には、再生対象となるコンテンツが保持され得る。コピー制御部は、操作部により取得されるユーザの指示に応じて、外部メディアに設定されたフォルダの中からコピー対象のフォルダを特定し、特定したフォルダを格納部にコピーする。
【０００７】
コピー制御部は、コピー対象のフォルダにコピーが禁止されたコンテンツが含まれているか否かを判定し、フォルダにコピーが禁止されたコンテンツが含まれていると判定した場合、フォルダに含まれるコンテンツのうちコピーが禁止されていないコンテンツのみを一括して格納部にコピーする。
【０００８】
この再生装置によれば、外部メディアのファイルを指定して格納部にコピーする際に、ファイルに含まれるコンテンツのうちコピーが禁止されていないメディアのみを一括してコピーすることができるので、ユーザの利便性をさらに高めることができる。
【０００９】
なお、以下の説明において、「コンテンツ」は、複数種の情報伝達手段を通じて再生、表示、または実行される動画、静止画、音声、テキスト、プログラムを含む情報内容をいい、特に娯楽目的の情報を含んでもよい。「コンテンツ」の語は再生対象全体を抽象的に示すのに対し、「コンテンツの項目」というときは、コンテンツとしての動画データ、静止画データ、音声データ、テキストデータ、プログラムデータなど、データファイル一つ一つの単位を示してもよい。「フォルダ」は、コンテンツやプログラムやその他のデータファイルを収納する場所をいう。「コンテンツの項目を取得」は、コンテンツ名の一覧やファイル名の一覧などのデータを「コンテンツの項目」として取得する動作を示してもよい。「再生」は、画像や音声の再生を示すほか、プログラムの実行を示してもよい。「外部装置」は、コンテンツの保持機能、コンテンツの再生機能、ネットワーク通信機能などの機能をもつ、本態様と同様な情報処理装置であってもよい。
【発明の効果】
【００１０】
本発明によれば、コピー処理におけるユーザ利便性を向上させることができる。
【発明を実施するための最良の形態】
【００１１】
以下、図面を参照して本発明の実施形態について説明する。なお、各図において共通する部分には、同一の符号が付されている。また、各実施形態は本発明の一態様を示すものであり、この発明を限定するものではなく、本発明の範囲で任意に変更可能である。
【００１２】
[第１実施形態]
＜マルチメディアシステムの説明＞
本実施形態におけるマルチメディア再生システムは、静止画、動画、音楽、放送、ゲームなどの複数のコンテンツを再生または実行できる複合機器である。表示画面としてはテレビジョン受像機の画面を利用し、操作手段としては画面上の表示内容とコントローラの操作ボタンを用いる。仮に、複数のコンテンツをＰＣ上で再生する場合、コンテンツの種類に応じたビューアなど個別のプログラムを用いる必要がある。これら個別のプログラムはそれぞれ異なるベンダーにより制作されたものであり、通常、共通したインタフェイスを有しておらず、それぞれの操作方法に統一感はない。また、これらをいわゆるポータル画面のような共通インタフェイスに統合したとしてもいわば寄せ集めにすぎず、また各プログラムの起動には少なからず時間を要するため、プログラム切替における操作の快適さは得られない。
【００１３】
本実施形態のマルチメディア再生システムは、複数のコンテンツ再生を共通インタフェイスの下に統合し、共通の操作性をユーザに与える。また、コンテンツが格納された外部メディアやネットワーク上の位置にかかわらず所望のコンテンツを容易に再生指示できるように、ユーザの直感に訴えるような視覚性と簡素な操作性を実現したインタフェイスを提供することにより、ユーザの利便性を高める。
【００１４】
また、本実施形態のマルチメディア再生装置は、ユーザがコンテンツを特定する際に使用されるメニュー画面の表示態様を、ユーザからの指示により物理ビューと論理ビューという少なくとも２つの表示態様から選択可能とすることによりし、ユーザの利便性をさらに高める。
【００１５】
さらに、本実施形態のマルチメディア再生装置は、外部メディアのファイルを指定して内蔵ハードディスクにコピーする際に、ファイルに含まれるコンテンツのうちコピーが禁止されていないメディアのみを一括してコピーすることにより、ユーザの利便性をさらに高める。
【００１６】
＜マルチメディア再生装置の構成＞
図１は、マルチメディア再生システムの基本的な構成を示す。マルチメディア再生システム１０は、マルチメディア再生装置２０を中心に機能する。マルチメディア再生装置２０には、テレビジョン受像機３０とコントローラ４２が接続される。テレビジョン受像機３０は、マルチメディア再生装置２０から出力される映像や音声を表示または出力する機能を有し、マルチメディア再生装置２０に外部接続される。コントローラ４２は、ユーザによって操作されることによりコンテンツ再生に関する各種の指示を取得する装置であり、マルチメディア再生システム１０の一部として機能する。このコントローラ４２は、図示するようなゲーム用のコントローラで実現してもよいし、マルチメディア再生装置２０がもつ各種機能の制御に用いられるリモートコントローラで実現してもよい。
【００１７】
マルチメディア再生装置２０には、各種記録媒体や各種ケーブルを通じて情報が入力される。例えば、アンテナケーブル３２を介して放送コンテンツである番組の映像や音声などの情報がマルチメディア再生装置２０に入力される。放送コンテンツは、マルチメディア再生装置２０により録画されてもよいし、マルチメディア再生装置２０による画像処理などを経てテレビジョン受像機３０へ出力されてもよい。
【００１８】
また、インターネット３５に接続された外部装置（例えば情報提供サーバ）３７から、各種コンテンツや後述するＸＭＬファイルがネットワークケーブル３４及び図示外のモデムを介してマルチメディア再生装置２０に入力される。入力されたコンテンツは、マルチメディア再生装置２０に保存またはバッファされた後に再生される。
【００１９】
マルチメディア再生装置２０は、テレビジョン受像機３０にコンテンツ再生指示のためのメニュー画面を表示させる。そのメニュー画面において、マルチメディア再生装置２０に保持されるコンテンツの項目や、情報提供サーバ３７から取得されるコンテンツの項目が表示され、ユーザの指示に基づいて各コンテンツをマルチメディア再生装置２０により再生することができる。
【００２０】
マルチメディア再生装置２０は、ＤＶＤやＣＤなどの光ディスク（外部メディア）３６に対するデータの読取機能および書込機能と、着脱可能なメモリカード（外部メディア）３８に対するデータの読出機能および書込機能とを有する。マルチメディア再生装置２０は、光ディスク３６からは映画や音楽アルバムなどのデータを読み出してもよいし、メモリカード３８からは撮影画像や撮影映像などのデータを読み出してもよい。光ディスク３６には、映像や音楽が所定の規格に従って記憶（格納）された状態で販売されるＤＶＤやＣＤ（以下、規格ディスクと称する）のほか、ユーザや他のユーザが個人的に作成したＤＶＤやＣＤ（以下、データディスクと称する）も含まれる。メモリカード３８には、メモリーステックやＳＤ（Secure Digital）メモリカードやコンパクトフラッシュ（登録商標）などの不揮発性の記憶媒体が含まれる。
【００２１】
また、マルチメディア再生装置２０には、ケーブル（例えばＵＳＢ（Universal Serial Bus）ケーブル）４３を介して他の装置（例えばデジタルカメラやデジタルビデオや携帯端末装置など）４４が接続される。マルチメディア再生装置２０は、他の装置４４が有する記憶媒体（外部メディア）４５や他の装置４４に装着又は接続された記憶媒体（外部メディア）４６に対するデータの読出機能を有する。マルチメディア再生装置２０には、ケーブル４３が接続される接続口が複数設けられ、他の装置４４が複数同時に接続可能である。これらの接続口には、メモリカード３８が接続されてもよい。
【００２２】
また、マルチメディア再生装置２０は、光ディスク３６やメモリカード３８や記憶媒体４５，４６に記憶されたデータを、後述する格納部（内蔵ハードディスク）８０にコピーする機能を有する。
【００２３】
図２は、マルチメディア再生装置２０ の構成を示す機能ブロック図である。マルチメディア再生装置２０は、操作部４０、入出力部４７、表示出力部４９、表示制御部４８、格納部８０、コピー制御部８１およびゲーム実行部８２を含む。マルチメディア再生装置２０は、ハードウェア的には、ＣＰＵ、ハードディスク、ＲＡＭ、ＲＯＭ、描画回路などの構成で実現でき、ソフトウェア的にはデータ入力機能、データ保持機能、画像処理機能、描画機能などの諸機能を発揮するプログラムで実現されるが、図２ではそれらの連携によって実現される機能ブロックを描いている。したがって、これらの機能ブロックはハードウェア、ソフトウェアの組み合わせによって様々な形で実現できる。
【００２４】
操作部４０は、上、下、左、右の４方向のいずれかに関する指示をユーザによるコントローラ４２の操作を介して取得する方向決定部９２と、コンテンツの再生、再生停止、メニュー画面呼び出し、選択するアイコンの指定、メニュー画面の表示態様の選択などの指示をユーザによるコントローラ４２の操作を介して取得する指示決定部９４と、方向決定部９２および指示決定部９４が取得した指示に基づいて入出力部４７、表示出力部４９、表示制御部４８、ゲーム実行部８２の各部を制御する操作制御部９５と、を含む。
【００２５】
入出力部４７は、放送コンテンツをアンテナケーブル３２経由で入力する放送入力部８４、情報提供サーバ３７等の外部装置に保持されたコンテンツや各種データの入力や各種データの出力をネットワークケーブル３４及び図示せぬモデムを介して処理するネットワーク制御部８６、光ディスク３６に格納されたデータの入力や光ディスク３６へのデータの書込を制御するディスク制御部８８、およびメモリカード３８や記憶媒体４５，４６との間でデータを入出力するメモリカード制御部９０を含む。入出力部４７を構成する各部を介して入力されたデータは、表示出力部４９、表示制御部４８、格納部８０、コピー制御部８１およびゲーム実行部８２へ送られる。
【００２６】
格納部８０には、アンテナケーブル３２経由で入力された放送コンテンツ、ネットワークケーブル３４を介して入力された外部装置３７からのＸＭＬファイル及びコンテンツ、光ディスク３６から読み込まれた音楽や映画などのコンテンツ、メモリカード３８から読み込まれた静止画や動画などのコンテンツ、記憶媒体４５，４６から読み込まれた様々なコンテンツが格納される。格納部８０には、再生機能の種類を象徴する複数の機能アイコンのデータと、表示出力部４９により再生されるコンテンツやゲーム実行部８２により実行されるコンテンツと、格納部８０に格納された各コンテンツの項目を象徴する複数のコンテンツアイコンのデータと、フォルダアイコンのデータとがさらに格納される。また、光ディスク３６やメモリカード３８や記憶媒体に格納されたコンテンツアイコンが、ディスク制御部８８やメモリカード制御部９０を介して取得され、格納部８０に保存される。これら機能アイコンとコンテンツアイコンとフォルダアイコンとは、メニュー画面への項目表示に用いられる。
【００２７】
表示出力部４９は、符号化データを復号する復号処理部９６、テレビジョン受像機３０へ出力する再生データをその出力前に一時蓄積する出力バッファ１００、テレビジョン受像機３０へ出力するオンスクリーンディスプレイ表示用の画像データを出力前に一時蓄積するオンスクリーンバッファ１０２、および再生データと画像データを合成する合成処理部９８を含む。復号処理部９６は、操作部４０が取得したユーザの指示に基づき、入出力部４７または格納部８０から受け取る放送コンテンツ、映画、音楽などの符号化された再生データを復号して出力バッファ１００へ格納する。オンスクリーンバッファ１０２には、例えば表示制御部４８で生成されたメニュー画面の画像データがオンスクリーン表示用の画像データとして格納される。合成処理部９８は、出力バッファ１００に格納された再生データとオンスクリーンバッファ１０２に格納されたメニュー画面の画像データとを合成し、これをアナログ信号に変換してテレビジョン受像機３０へ出力する。
【００２８】
表示制御部４８は、再生機能の種類と各再生機能に対応するコンテンツの項目をメニュー項目として管理するメニュー管理部１０４、各コンテンツの再生または実行を制御するコンテンツ制御部１０６、メニュー画面におけるアイコンの動作を処理するエフェクト処理部１０８、およびメニュー画面の画像データを生成する画像生成部１１０を含む。メニュー管理部１０４は、格納部８０に保存されたコンテンツの項目と入出力部４７経由で入力されるコンテンツの項目を記憶するとともに、現在選択中の再生機能およびコンテンツを記憶する。ここでいう再生機能には、例えば静止画再生機能、音楽再生機能、動画再生機能、放送表示機能、ゲーム実行機能があり、さらに各種設定機能、ネットワーク選択機能も含まれる。コンテンツ制御部１０６は、操作部４０が取得したユーザの指示に基づき、再生機能の切替、コンテンツの再生開始および停止、入出力部４７によるデータ入力、格納部８０からのデータ読み出し、ゲーム実行部８２による処理を制御する。
【００２９】
画像生成部１１０は、複数の機能アイコンが水平方向に並んだ配列と、複数のコンテンツアイコン又はフォルダアイコンが垂直方向に並んだ配列で構成されるメニュー画面を生成する。これら二つの配列は画面略中央近傍で交叉して十字配列を形成し、その交叉位置およびその近傍に表示される機能アイコンとコンテンツアイコン又はフォルダアイコンとを、他のアイコンと外観上区別できるよう画像生成部１１０が強調表示する。エフェクト処理部１０８は、機能アイコンの配列およびコンテンツアイコン又はフォルダアイコンの配列のスクロール表示、注目する機能アイコンおよびコンテンツアイコン又はフォルダアイコンの強調表示を処理する。アイコンの強調表示は、例えば他のアイコンと異なる色彩による表示とその変化、アイコンの拡大表示とその状態へ遷移する動きなど、他のアイコンと異なる形式により表現される。
【００３０】
画像生成部１１０は、操作部４０が取得したユーザの表示態様選択指示に応じて、物理ビューと論理ビューのうち一方の表示態様を選択して設定する。また、画像生成部１１０は、メニュー画面の生成する際に、物理ビューと論理ビューのうち何れの表示態様が選択されているかを判別し、選択されている表示態様に応じてメニュー画面を生成する。表示態様選択指示は、ユーザがメニュー画面で設定アイコン６０（図３参照）を指定して表示態様選択メニュー（図示省略）を表示し、画面上で物理ビュー又は論理ビューを指定することにより、操作部４０によって取得される。
【００３１】
物理ビューと論理ビューとは、外部メディア３６，３８，４５，４６及び格納部８０（格納元）に保持された全てのコンテンツのうち表示対象とするコンテンツが互いに相違する。また、物理ビューと論理ビューとでは、表示対象とする格納元が互いに相違し、全ての格納元（外部メディア３６，３８，４５，４６及び格納部８０）に設定された全てのフォルダのうち表示対象とするフォルダが互いに相違する。
【００３２】
具体的には、図２６に示すように、初期設定状態における物理ビューでは、表示対象に対して、全ての格納元のうちメモリカード３８、他の装置４４を介した記憶媒体４５，４６、及び光ディスク３６のうちデータディスクに設定されたフォルダであること、又はこれらのフォルダに含まれるコンテンツであることが要求される。従って、格納部８０に設定されたフォルダと、光ディスク３６のうちＤＶＤなどの規格ディスクに設定されたフォルダと、これらのフォルダに含まれるコンテンツとは、表示対象から除外される。フォルダやコンテンツが表示対象か否かは、各外部メディア３６，３８，４５，４６から読み出されるメディア特定情報（格納されたファイル情報など）に基づいて判別される。なお、図２６のデフォルトビューについては、第２実施形態で説明する。
【００３３】
また、画像生成部１１０は、操作部４０が取得するユーザからの表示態様設定指示に応じて、物理ビューにおける表示対象を変更する。例えば、ユーザからの所定の入力指示に応じて、物理ビューにおける表示対象に全ての格納元のフォルダを含めるように変更可能としてもよく、このような変更により、格納部８０に設定されたフォルダと、光ディスク３６のうち規格ディスクに設定されたフォルダと、これらのフォルダに含まれるコンテンツとを、物理ビューの表示対象とすることができる。
【００３４】
一方、初期設定状態における論理ビューでは、表示対象に対して、全ての格納元のうち格納部８０、光ディスク３６のうち規格ディスク、メモリカード３８、及び他の装置４４を介した記憶媒体４５，４６に設定されたフォルダであること、又はこれらのフォルダに含まれるコンテンツであることが要求される。従って、光ディスク３６のうちデータディスクに設定されたフォルダと、これらのフォルダに含まれるコンテンツとは、表示対象から除外される。
【００３５】
また、画像生成部１１０は、操作部４０が取得するユーザからの表示態様設定指示に応じて、論理ビューにおける表示対象を変更する。なお、初期設定状態で論理ビューの表示対象から除外された格納元（この例ではデータディスク）に設定されたフォルダを、論理ビューにおける表示対象として変更することを禁止してもよく、この場合データディスクをユーザからの表示態様設定指示によっても表示対象とすることはできない。
【００３６】
また、論理ビューにおいて表示対象とするフォルダには、予め定められた所定のフォルダであることが要求される。従って、予め定められた所定のフォルダ以外のフォルダは、表示対象から除外される。これに対し、物理ビューでは、フォルダに対するこのような制約はない。
【００３７】
さらに、物理ビュー及び論理ビューの双方において表示対象とするコンテンツには、表示制御部によって再生可能であることが要求される。従って、表示制御部によって再生できないコンテンツは、表示対象から除外される。また、物理ビュー及び論理ビューの双方では、後述する第１のアイコン縦配列７２（図３参照）及びこれ以降の縦配列において表示対象とするコンテンツには、交叉領域７６（図３参照）の機能アイコンが示すコンテンツ再生機能によって再生可能であることが要求される。従って、交叉領域７６の機能アイコンが示すコンテンツ再生機能によって再生できないコンテンツは、その第１のアイコン縦配列７２及びその下層のアイコン縦配列の表示対象から除外される。
【００３８】
物理ビューでは、外部メディア３６，３８，４５，４６及び格納部８０にそれぞれ設定されたディレクトリの階層構造に従って、コンテンツアイコンやフォルダアイコンが表示される。これに対し、論理ビューでは、他の予め定められた条件に従って、コンテンツアイコンやフォルダアイコンが表示される。
【００３９】
すなわち、画像生成部１１０は、外部メディア３６，３８，４５，４６及び格納部８０に設定されたディレクトリの階層構造を解析し、物理ビューが選択されているときは、ディレクトリの階層構造におけるフォルダとコンテンツとの関係に従ってフォルダアイコンとコンテンツアイコンとを表示する画像データを生成する。一方、論理ビューが選択されているときは、ディレクトリの階層構造におけるフォルダとコンテンツとの関係に従わずにコンテンツアイコンを表示する画像データを生成する。例えば、あるフォルダＦ１０に含まれるコンテンツＣ１０が表示対象である場合、物理ビューでは、コンテンツＣ１０を示すコンテンツアイコンＣｉ１０は、フォルダＦ１０を示すフォルダアイコンＦｉ１０の下層に関連付けられて表示される。これに対し、論理ビューでは、コンテンツアイコンＣｉ１０がフォルダアイコンＦｉ１０の下層に表示されるか否かは設定によって異なり、例えば、フォルダＦ１０が表示対象ではない（フォルダアイコンＦｉ１０が表示されない）場合、コンテンツアイコンＣｉ１０は他のフォルダアイコンの下層に関連付けられて表示される。
【００４０】
なお、メニュー画面の表示態様として、物理ビューと論理ビューとを含む複数の表示態様の中から、一つの表示態様が選択されてもよい。他の表示態様としては、例えば、表示対象とするフォルダが上記論理ビューとは相違する第２の論理ビューであってもよい。
【００４１】
ゲーム実行部８２は、ディスク制御部８８によって光ディスク３６から読み出されるゲームプログラムまたは格納部８０から読み出されるゲームプログラムを実行する。ゲーム実行部８２は、操作部４０により取得されるユーザの指示に基づいてゲームプログラムの動作を処理するとともに、ゲームの映像および音声を表示出力部４９へ送る。
【００４２】
コピー制御部８１は、外部メディア３６，３８，４５，４６に格納されたコンテンツを格納部８０に書き込む処理（コピー処理）を行う。コピー処理において、コピー制御部８１は、操作部４０が取得したユーザからのコピー指示に基づき、ディスク制御部８８又はメモリカード制御部９０を制御して、外部メディア３６，３８，４５，４６に格納されたコンテンツの出力させ、その出力データを格納部８０に書き込む。すなわち、ディスク制御部８８とメモリカード制御部９０とコピー制御部８１とコピー制御部８１により、外部メディア３６，３８，４５，４６から格納部８０へのコピー処理が実行される。
ユーザが外部メディアのファイルを指定してコピーの実行を要求したときは、コピー制御部８１は、ファイルに含まれるコンテンツのうちコピーが禁止されていないコンテンツのみを一括して格納部８０にコピーする。
【００４３】
＜メニュー画面の基本的な構成＞
物理ビューと論理ビューとに共通するメニュー画面の基本的な構成と画面の動きについて、図面を参照して説明する。
【００４４】
図３〜図７は、マルチメディア再生装置２０により生成される物理ビューのメニュー画面を示す模式図である。
【００４５】
図３に示すように、メニュー画面５０において、横方向（水平方向）に複数の機能アイコンが並んだ機能アイコン配列７０と、縦方向（垂直方向）に複数のフォルダアイコンが並んだ第１のアイコン縦配列７２とが交叉する二次元配列が表示される。機能アイコン配列７０には、マルチメディア再生装置２０の再生機能の種類を象徴するマークとして、写真アイコン５２、音楽アイコン５４、動画アイコン５６、放送アイコン５８、ゲームアイコン６２、設定アイコン６０、ネットワークアイコン６３が含まれる。第１のアイコン縦配列７２には、格納部８０に格納されたコンテンツのサムネイルなどのアイコンや、複数のコンテンツの分類を象徴するアイコンなどが含まれる。機能アイコン配列７０と第１のアイコン縦配列７２とを含んで構成されるメニュー画面５０はオンスクリーン表示であり、コンテンツ映像の前面に重ね合わされて表示される。背景領域（図示せず）に現在再生中のコンテンツ映像が表示される場合、エフェクト処理部１０８は機能アイコン配列７０とアイコン縦配列７２の領域全体に、背景領域との外観上の区別を容易にするための彩色を施してもよく、またコンテンツ映像の明るさを調整するなどの方法により外観上の区別を容易にしてもよい。
【００４６】
機能アイコン配列７０と第１のアイコン縦配列７２が交叉する領域（交叉領域７６）に位置する機能アイコンは、図示するように他の機能アイコンと異なる色彩にて拡大表示される。交叉領域７６は、メニュー画面５０の所定の場所（略中央）に位置したままその位置が据え置かれ、操作部４０を介したユーザの左右方向の指示に応じて機能アイコン配列７０全体が左右方向に移動し、交叉領域７６に位置した機能アイコンの色彩とアイコンサイズが変化する。したがって、ユーザは左右の方向指示をするだけで所望の再生機能を選択でき、ＰＣ上で通常行われるマウスのクリック操作のような決定指示は不要である。
【００４７】
エフェクト処理部１０８は、機能アイコンの左右方向の移動を、機能アイコン配列７０
の領域全体を左右方向にスクロールすることによって実現する。エフェクト処理部１０８は、各機能アイコンを左右に移動させる間はこれらを同色、同サイズで表示するが、交叉領域７６に位置する機能アイコンだけその色彩とサイズを変化させる。エフェクト処理部１０８は、色彩の変化として、機能アイコンの明度、彩度、色相などの要素を変化させてもよいし、点滅表示することにより色彩を変化させてもよい。このように、交叉領域７６に位置する機能アイコンをその他の機能アイコンと異なる表示態様で表示するため、ユーザは容易にメディアを選択できる。
【００４８】
エフェクト処理部１０８は、機能アイコンが左右方向へ移動中であって交叉領域７６にいずれの機能アイコンも位置していないときには第１のアイコン縦配列７２を表示させず、いずれかの機能アイコンが交叉領域７６で位置したときに、第１のアイコン縦配列７２を交叉領域７６から上下方向に繰り出すように展開表示する。ユーザは、交叉領域７６を目標地点にして機能アイコンを左右にスクロール操作するだけでその再生機能に対応するコンテンツを認識することができ、また展開表示されるコンテンツから再生機能の種類を認識することもできる。逆に、第１のアイコン縦配列７２が表示された状態で左右方向の指示があった場合、エフェクト処理部１０８は展開されていた第１のアイコン縦配列７２を交叉領域７６に向かって収納するような動きで表示する。
【００４９】
メニュー画面５０の所定の場所（略中央）に位置する注目領域７５は、ユーザによる操作の対象となるコンテンツ又はフォルダのアイコンが表示されるべき領域であり、その位置はメニュー画面５０の略中央の位置に据え置かれる。画像生成部１１０は、この注目領域７５の近傍位置、すなわち注目領域７５の直上に交叉領域７６が位置するように機能アイコン配列７０を表示する。注目領域７５は第１のアイコン縦配列７２の一部を構成するとともに、エフェクト処理部１０８は注目領域７５内に位置するコンテンツアイコンを注目アイコン６４として拡大表示する。その他のコンテンツアイコンは、注目アイコン６４より小さいサイズで表示される。注目アイコン６４の近傍位置、すなわち右方には注目アイコン６４に示されるコンテンツの属性として、例えば動画タイトルや録画日などのコンテンツに関する情報６５が表示される。
【００５０】
操作部４０がユーザによる上下方向の指示を取得する間は、その指示に応じて第１のアイコン縦配列７２の各アイコンが上下方向に移動する。エフェクト処理部１０８は、アイコンの上下方向の移動を、第１のアイコン縦配列７２の領域全体を上下方向にスクロールさせることにより実現する（図４参照）。
【００５１】
エフェクト処理部１０８は、第１のアイコン縦配列７２の各アイコンを上下に移動させる間はこれらを同サイズで表示するが、注目領域７５に位置するコンテンツアイコンだけは注目アイコン６４としてサイズを拡大させる。エフェクト処理部１０８は、注目アイコン６４の明度、彩度、色相などの要素をさらに変化させてもよいし、点滅表示してもよい。注目アイコン６４として表示されたコンテンツの再生決定指示を操作部４０がユーザから取得すると、画像生成部１１０はメニュー画面５０の画像データを非表示にし、コンテンツ制御部１０６は選択されたコンテンツの再生を開始制御する。コンテンツ再生中においては、ユーザが操作部４０を介してメニュー画面５０の呼び出しを指示すると、コンテンツ再生中の画面にメニュー画面５０が重ね合わされて表示される。ここで表示されるメニュー画面５０には、コンテンツが再生決定されたときの状態が再現される。
【００５２】
画像生成部１１０は、機能アイコン配列７０をメニュー画面５０の垂直方向における中央よりやや上方に表示するとともに、第１のアイコン縦配列７２をメニュー画面５０の水平方向における中央よりやや左方に表示する。これにより、注目アイコン６４とコンテンツ又はファイルに関する情報６５の組み合わせは、メニュー画面５０の略中央位置に表示される。ユーザはメニュー画面５０の中央に注目アイコン６４とコンテンツ又はファイルに関する情報６５を見ることができ、これらの内容を容易に認識できる。
【００５３】
注目領域７５に第１のアイコン縦配列７２のフォルダアイコンが位置した状態で操作部４０がユーザによる決定指示を取得すると、図５に示すように、機能アイコン配列７０と第１のアイコン縦配列７２とが全体的に左方向に移動し、機能アイコン配列７０のうち交叉領域７６よりも右側の機能アイコンが非表示となり、第２のアイコン縦配列１２０が注目領域７５から上下方向に繰り出すように展開表示される。このとき、第１のアイコン縦配列７２に含まれるアイコンのうち、機能アイコンと注目領域７５に隣接する（前回まで注目領域に位置していた）アイコンとを除く他のアイコンは、目立たない表示又は非表示としてもよい。第２のアイコン縦配列１２０も、操作部４０がユーザによる上下方向の指示を取得する間は、その指示に応じて全体的に上下方向に移動し、この移動に伴って注目領域７５に位置するアイコンが入れ替わる（図６参照）。この第２のアイコン縦配列１２０の動き等に関する表示についても、第１のアイコン縦配列７２の場合と同様に、エフェクト処理１０８が処理を行う。
【００５４】
さらに、注目領域７５に第２のアイコン縦配列１２０のフォルダアイコンが位置した状態で操作部４０がユーザによる決定指示を取得すると、図７に示すように、機能アイコン配列７０と第１のアイコン縦配列７２と第２のアイコン縦配列１２０とが全体的に左方向に移動し、第３のアイコン縦配列１２１が注目領域７５から上下方向に繰り出すように展開表示される。このとき、第２のアイコン縦配列１２０に含まれるアイコンのうち、注目領域７５に隣接する（前回まで注目領域に位置していた）アイコンとを除く他のアイコンは、目立たない表示又は非表示としてもよい。第３のアイコン縦配列１２１も、操作部４０がユーザによる上下方向の指示を取得する間は、その指示に応じて全体的に上下方向に移動し、この移動に伴って注目領域７５に位置するアイコンが入れ替わる。この第３のアイコン縦配列１２１の動き等に関する表示についても、第１のアイコン縦配列７２の場合と同様に、エフェクト処理１０８が処理を行う。
【００５５】
なお、第３のアイコン縦配列１２１よりも下層のアイコン縦配列が存在する場合には、ユーザからの指示に応じて、上記と同様に順次下層のアイコン縦配列が表示される。
【００５６】
写真アイコン５２は、静止画再生機能を象徴し、静止画を再生する場合に選択されるべきアイコンである。再生の対象となる画像は、主にデジタルカメラで撮影された静止画であり、例えばメモリカード３８から読み込まれる。写真アイコン５２が交叉領域７６に位置したときに展開表示されるコンテンツアイコンは、静止画のサムネイルである。コンテンツに関する情報６５としては、撮影日やファイルサイズなどの撮影情報が表示される。
【００５７】
音楽アイコン５４は、音楽再生機能を象徴し、音楽データを再生する場合に選択されるべきアイコンである。再生の対象となる音楽データは、例えば光ディスク３６から読み込まれたデータが特定の圧縮形式で符号化されたものも含まれる。音楽アイコン５４が交叉領域７６に位置したときに展開表示されるアイコンは、楽曲単位で表示されたコンテンツアイコンであってもよいし、アルバムなどの単位で楽曲がまとめられたフォルダアイコンであってもよい。コンテンツに関する情報６５としては、楽曲やアルバムのタイトル、再生時間などの情報が表示される。音楽データは楽曲のプロモーションビデオなどの動画データを含んでもよく、その場合、その動画のサムネイルをコンテンツアイコンとして利用してもよい。
【００５８】
動画アイコン５６は、動画再生機能を象徴し、動画像を再生する場合に選択されるべきアイコンである。再生の対象となる動画像は、アンテナケーブル３２から入力されたテレビ番組の録画映像や、デジタルビデオで撮影された録画映像、光ディスク３６や外部機器から読み出された映像であり、特定の圧縮形式で符号化されている。これらの場合、動画像に含まれるフレームを縮小したサムネイルをコンテンツアイコンとする。コンテンツに関する情報６５としては、記録日や再生時間などの情報が表示される。
【００５９】
放送アイコン５８は、放送表示機能を象徴し、アンテナケーブル３２から入力されるテレビ番組を視聴する場合に選択されるべきアイコンである。視聴の対象として展開されるコンテンツアイコンは、番組単位であってもよいし、放送局や放送チャンネル単位であってもよい。コンテンツに関する情報６５としては、ＥＰＧ（電子番組案内）のデータに基づいて取得される放送局名、放送チャンネル名、番組タイトル、放送時間などの情報が表示される。
【００６０】
ゲームアイコン６２は、ゲーム実行機能を象徴し、ゲームプログラムを実行する場合に選択されるべきアイコンである。実行の対象は、格納部８０に格納されたゲームプログラムまたは光ディスク３６から読み込まれたゲームプログラムである。ゲームプログラムがゲームのアイコンをデータとして含んでいる場合は、そのアイコンをコンテンツアイコンとして表示する。コンテンツに関する情報６５としては、ゲームプログラムのタイトルなどの情報が表示される。
【００６１】
設定アイコン６０は、各種設定機能を象徴し、マルチメディア再生装置 ２０の各種設定を変更する場合に選択されるべきアイコンである。
【００６２】
ネットワークアイコン６３は、ネットワーク選択機能を象徴し、インターネット３５を介して入力されるコンテンツを再生する場合やウェヴブラウザなどのアプリケーションを実行する場合に選択されるべきアイコンである。
【００６３】
＜物理ビューのメニュー画面の説明＞
マルチメディア再生装置２０に、外部メディア３６，３８，４５，４６として、データディスク１３０、第１媒体１３１、第２媒体１３２、第３媒体（規格ディスク）１３３、及び第４媒体１３４が同時に挿入又は接続された状態において、マルチメディア再生装置２０が生成する論理ビューのメニュー画面を図面に基づいて説明する。
【００６４】
図８は、データディスク１３０のディレクトリの階層構造を示す模式図、図９は、格納部８０のディレクトリの階層構造を示す模式図、図１０は、第１媒体１３１のディレクトリの階層構造を示す模式図、図１１は、第２媒体１３２のディレクトリの階層構造を示す模式図、図１２は、第３媒体１３３のディレクトリの階層構造を示す模式図、図１３は、第４媒体１３４のディレクトリの階層構造を示す模式図、図１４は、交叉領域７６の機能アイコンが写真アイコン５２である場合の初期設定状態での物理ビューのアイコン縦配列を階層的に示す模式図、図１５は、交叉領域７６の機能アイコンが写真アイコン５２である場合の初期設定状態から表示対象の格納元が変更された物理ビューのアイコン縦配列を階層的に示す模式図、図１６は、交叉領域７６の機能アイコンが音楽アイコン５４である場合の初期設定状態での物理ビューのアイコン縦配列を階層的に示す模式図、図１７は、交叉領域７６の機能アイコンが動画アイコン５６である場合の初期設定状態での物理ビューのアイコン縦配列を階層的に示す模式図である。なお、図１４〜図１７において、一点鎖線は同じ第１のアイコン縦配列に含まれるフォルダアイコンのグループを示し、二点差線は同じ第２のアイコン縦配列に含まれるコンテンツアイコン及びフォルダアイコンのグループを示し、破線は同じ第３のアイコン縦配列に含まれるコンテンツアイコン及びフォルダアイコンのグループを示している。また、図１４〜図１７において、左右のアイコン間を接続する横線は、左側（上層）のフォルダアイコンに対するユーザの決定指示によって右側（下層）の列のアイコンが展開して表示されることを示す。また、以下の説明において、写真ファイル、音楽ファイル、及び動画ファイルは、それぞれ再生対象である静止画像、音楽、及び動画像のデータのファイルであり、音楽データファイル及び動画データファイルは、それぞれ再生対象以外の音楽及び動画像に関するデータ（例えば、タイトル名や総再生時間や記憶した日時など）のファイルである。音楽データファイル及び動画データファイルは、コンテンツアイコンのデータを含んでもよい。
【００６５】
図８に示すように、データディスク１３０には、フォルダＦ１が設定され、フォルダＦ１には、写真フォルダＦＦ１と音楽フォルダＭＦ１と動画フォルダＶＦ１とデータフォルダＤＦとが設定され、且つ写真ファイルｆ３が格納されている。写真フォルダＦＦ１には写真ファイルｆ１，ｆ２が格納され、音楽フォルダＭＦ１には、音楽ファイルｍ１，ｍ２と音楽データファイルｍｄ１，ｍｄ２とが格納されている。動画フォルダＶＦ１には動画ファイルｖ１と動画データファイルｖｄ１とが格納され、データフォルダＤＦにはマルチメディア再生装置２０が再生不可能なデータファイルｄ１，ｄ２が格納されている。
【００６６】
図９に示すように、格納部８０には、フォルダＦ２が設定され、フォルダＦ２には、写真フォルダＦＦ２，ＦＦ３と音楽フォルダＭＦ２と動画フォルダＶＦ２とが設定されている。写真フォルダＦＦ２には写真ファイルｆ４，ｆ５が格納され、写真フォルダＦＦ３には写真ファイルｆ６が格納されている。音楽フォルダＭＦ２には、音楽ファイルｍ３と音楽データファイルｍｄ３とが格納され、動画フォルダＶＦ２には動画ファイルｖ２と動画データファイルｖｄ２が格納されている。
【００６７】
図１０に示すように、第１媒体１３１には、フォルダＦ３が設定され、フォルダＦ３には、写真フォルダＦＦ４と動画フォルダＶＦ３，ＶＦ４とが設定され、且つ写真フォルダｆ９が格納されている。写真フォルダＦＦ４には写真ファイルｆ７，ｆ８が格納されている。動画フォルダＶＦ３には動画ファイルｖ３と動画データファイルｖｄ３とが格納され、動画フォルダＶＦ４には動画ファイルｖ４が格納されている。
【００６８】
図１１に示すように、第２媒体１３２には、フォルダＦ４が設定され、フォルダＦ４には、写真フォルダＦＦ５と動画フォルダＶＦ５とが設定され、且つ写真フォルダｆ１２が格納されている。写真フォルダＦＦ５には写真ファイルｆ１０，ｆ１１が格納され、動画フォルダＶＦ５には動画ファイルｖ５と動画データファイルｖｄ５とが格納されている。
【００６９】
図１２に示すように、第３媒体（規格ディスク）１３３には、フォルダＦ５が設定され、フォルダＦ５には、動画フォルダＶＦ６が設定されている。動画フォルダＶＦ６には動画ファイルｖ６と動画データファイルｖｄ６とが格納されている。
【００７０】
図１３に示すように、第４媒体１３４には、フォルダＦ６が設定され、フォルダＦ６には、音楽ファイルｍ４，ｍ５と音楽データファイルｍｄ４，ｍｄ５とが格納されている。
【００７１】
初期設定状態の物理ビューでは、格納部８０と規格ディスクのフォルダ及びファイルを表示対象から除外するように設定されている。このため、データディスク１３０、格納部８０、第１媒体１３１、第２媒体１３２、第３媒体（規格ディスク）１３３、及び第４媒体１３４のうち、格納部８０と第３媒体１３３とを除いたデータディスク１３０、第１媒体１３１、第２媒体１３２、及び第４媒体１３４に設定された全てのフォルダと、これらに格納された全てのコンテンツのうちマルチメディア再生装置２０が再生可能なコンテンツとが、初期設定状態の物理ビューの表示対象となる。また、物理ビューでは、データディスク１３０、第１媒体１３１、第２媒体１３２、及び第４媒体１３４にそれぞれ設定されたディレクトリの階層構造におけるフォルダとコンテンツとの関係に従って、フォルダアイコンとコンテンツアイコンとが表示される。
【００７２】
初期設定状態の物理ビューにおいて、交叉領域７６に写真アイコン５２が位置する場合、表示対象となるコンテンツは写真フォルダに限定され、図１４に示すように、第１のアイコン縦配列７２における表示対象は、フォルダＦ１，Ｆ３，Ｆ４，Ｆ６となる。フォルダＦ１を示すフォルダアイコンが注目領域７５に位置した状態でユーザからの決定指示を受けた場合、第２のアイコン縦配列１２０における表示対象は、写真フォルダＦＦ１と写真ファイルｆ３と音楽フォルダＭＦ１と動画フォルダＶＦ１とデータフォルダＤＦ１となる。さらに、写真フォルダＦＦ１を示すフォルダアイコンが注目領域７５に位置した状態でユーザからの決定指示を受けた場合、第３のアイコン縦配列１２１における表示対象は、写真ファイルｆ１，ｆ２となる。同様に、フォルダＦ３を示すフォルダアイコンが注目領域７５に位置した状態でユーザからの決定指示を受けた場合、第２のアイコン縦配列１２０における表示対象は、写真フォルダＦＦ４と写真ファイルｆ９と動画フォルダＶＦ３，ＶＦ４となる。写真フォルダＦＦ４を示すフォルダアイコンが注目領域７５に位置した状態でユーザからの決定指示を受けた場合、第３のアイコン縦配列１２１における表示対象は、写真ファイルｆ７，ｆ８となる。フォルダＦ４を示すフォルダアイコンが注目領域７５に位置した状態でユーザからの決定指示を受けた場合、第２のアイコン縦配列１２０における表示対象は、写真フォルダＦＦ５と写真ファイルｆ１２と動画フォルダＶＦ５となる。写真フォルダＦＦ５を示すフォルダアイコンが注目領域７５に位置した状態でユーザからの決定指示を受けた場合、第３のアイコン縦配列１２１における表示対象は、写真ファイルｆ１０，ｆ１１となる。なお、下位の階層に表示対象が存在しないフォルダが注目領域７５に位置した状態でユーザからの決定指示を受けた場合、下層のアイコン縦配列は表示されず、「表示するデータがありません」など表示対象が存在しないことをユーザに報知する画像が表示されてもよい。
【００７３】
また、物理ビューでは、ユーザによる初期設定状態からの設定変更により、格納部８０と第３媒体１３３とに設定された全てのフォルダと、これらに格納された全てのコンテンツのうちマルチメディア再生装置２０が再生可能なコンテンツとを、表示対象とすることが可能である。このように設定を変更した場合、全てのフォルダと全ての写真フォルダとが表示対象となり、図１５に示すように、第１のアイコン縦配列７２における表示対象は、フォルダＦ１，Ｆ２，Ｆ３，Ｆ４，F５，Ｆ６となる。フォルダＦ２を示すフォルダアイコンが注目領域７５に位置した状態でユーザからの決定指示を受けた場合、第２のアイコン縦配列１２０における表示対象は、写真フォルダＦＦ２，ＦＦ３と音楽ファイルＭＦ２と動画フォルダＶＦ２となる。写真フォルダＦＦ２を示すフォルダアイコンが注目領域７５に位置した状態でユーザからの決定指示を受けた場合、第３のアイコン縦配列１２１における表示対象は、写真ファイルｆ４，ｆ５となる。写真フォルダＦＦ３を示すフォルダアイコンが注目領域７５に位置した状態でユーザからの決定指示を受けた場合、第３のアイコン縦配列１２１における表示対象は、写真ファイルｆ６となる。なお、図１５において、フォルダＦ１，Ｆ３，Ｆ４の下層の状態は図１４と同様であるため、図示を省略している。
【００７４】
初期設定状態の物理ビューにおいて、交叉領域７６に音楽アイコン５４が位置する場合、表示対象となるコンテンツが音楽ファイルに限定され、第１のアイコン縦配列７２、第２のアイコン縦配列１２０及び第３のアイコン縦配列１２１のそれぞれにおける表示対象は、図１６に示すとおりとなる。また、初期設定状態の物理ビューにおいて、交叉領域７６に動画アイコン５６が位置する場合、表示対象となるコンテンツが動画ファイルに限定され、第１のアイコン縦配列７２、第２のアイコン縦配列１２０及び第３のアイコン縦配列１２１のそれぞれにおける表示対象は、図１７に示すとおりとなる。
【００７５】
次に、初期設定状態の物理ビューにおいて、交叉領域７６に動画アイコン５６が位置する場合（ユーザが機能アイコンとして動画アイコン５６を指定した場合）を例にとって、メニュー画面５０の状態を説明する。
【００７６】
機能アイコン配列７０を左右方向に移動させて、交叉領域７６に動画アイコン５６を位置させると、図３に示すように、交叉領域７６の直ぐ下方の注目領域７５にフォルダＦ１を示すフォルダアイコンが注目アイコン６４として表示され、さらにその下方に、第１のアイコン縦配列７２としてフォルダＦ３，Ｆ４，Ｆ６を示すフォルダアイコン１２２が順次並んで表示される。このとき、注目アイコン６４の隣接領域（本実施形態では右側）には、フォルダＦ１に関する情報（ＡＡＡ）６５が表示される。
【００７７】
次に、第１のアイコン縦配列７２を上方へ移動させると、図４に示すように、注目領域７５にフォルダＦ３を示すフォルダアイコンが注目アイコン６４として表示され、注目アイコン６４の隣接領域に、フォルダＦ３に関する情報（ＢＢＢ）６５が表示される。このとき、フォルダＦ１を示すフォルダアイコン１２２は、機能アイコン（動画アイコン５６）の上方へ移動する。
この状態で、ユーザが決定指示を入力すると、図５に示すように、機能アイコン配列７０と第１のアイコン縦配列７２とが全体的に左方向に移動し、機能アイコン配列７０のうち交叉領域７６よりも右側の機能アイコンが非表示となり、注目領域７５に写真フォルダＦＦ４を示すフォルダアイコンが注目アイコン６４として表示され、さらにその下方に、第２のアイコン縦配列１２０として動画フォルダＶＦ３，ＶＦ４をそれぞれ示すフォルダアイコン１２２が順次並んで表示される。このとき、フォルダＦ３を示すフォルダアイコン１２２は、通常の表示状態に戻る。また、注目アイコン６４の隣接領域に、写真フォルダＦＦ４に関する情報（ＣＣＣ）６５が表示される。
次に、第２のアイコン縦配列７２を上方へ移動させると、図６に示すように、注目領域７５に動画フォルダＶＦ３を示すフォルダアイコンが注目アイコン６４として表示され、注目アイコン６４の隣接領域に、動画フォルダＶＦ３に関する情報（ＤＤＤ）６５が表示される。
【００７８】
この状態で、ユーザが決定指示を入力すると、図７に示すように、機能アイコン配列７０と第１のアイコン縦配列７２と第２のアイコン縦配列１２０とが全体的に左方向に移動し、注目領域７５に動画ファイルｖ３を示すコンテンツアイコンが注目アイコン６４として表示される。なお、この例では、図１７に示すように、動画ファイルｖ３と同じ第３のアイコン縦配列１２１に属する表示対象が存在しないため、第３のアイコン縦配列１２１に表示されるアイコンは、動画ファイルｖ３のみである。このとき、動画フォルダＶＦ３を示すフォルダアイコン１２２は、通常の表示状態に戻る。また、注目アイコン６４の隣接領域に、動画ファイルｖ３に関する情報（例えば、動画の内容を表す「世界紀行」の文字と、撮像年月日を表す「２００４．５．１」の文字）６５が表示される。
【００７９】
この状態で、さらにユーザが決定指示を入力すると、動画ファイルｖ３の再生が開始される。
【００８０】
＜論理ビューのメニュー画面の説明＞
次に、論理ビューのメニュー画面を図面に基づいて説明する。
【００８１】
図１８は、交叉領域７６の機能アイコンが写真アイコン５２である場合の初期設定状態での論理ビューのアイコン縦配列を階層的に示す模式図、図１９は、交叉領域７６の機能アイコンが写真アイコン５２である場合の初期設定状態から変更された論理ビューのアイコン縦配列を階層的に示す模式図、図２０は、交叉領域７６の機能アイコンが音楽アイコン５４である場合の初期設定状態での論理ビューのアイコン縦配列を階層的に示す模式図、図２１は、交叉領域７６の機能アイコンが動画アイコン５６である場合の初期設定状態での論理ビューのアイコン縦配列を階層的に示す模式図、図２２〜図２４は、マルチメディア再生装置２０により生成される論理ビューのメニュー画面を示す模式図である。なお、図１８〜図２１において、一点鎖線は同じ第１のアイコン縦配列に含まれるフォルダアイコンのグループを示し、二点差線は同じ第２のアイコン縦配列に含まれるコンテンツアイコン及びフォルダアイコンのグループを示し、破線は同じ第２のアイコン縦配列に含まれるコンテンツアイコン及びフォルダアイコンのグループを示している。また、図１８〜図２１において、左右のアイコン間を接続する横線は、左側（上層）のフォルダアイコンに対するユーザの決定指示によって右側（下層）の列のアイコンが展開して表示されることを示す。
【００８２】
初期設定状態の論理ビューでは、データディスクのフォルダ及びファイルを表示対象から除外するように設定されている。このため、データディスク１３０、格納部８０、第１媒体１３１、第２媒体１３２、第３媒体（規格ディスク）１３３、及び第４媒体１３４のうち、データディスク１３０を除いた格納部８０、第１媒体１３１、第２媒体１３２、第３媒体（規格ディスク）１３３、及び第４媒体１３４に格納された全てのコンテンツのうちマルチメディア再生装置２０が再生可能なコンテンツが、初期設定状態の論理ビューの表示対象となる。また、論理ビューでは、格納部８０、第１媒体１３１、第２媒体１３２、第３媒体（規格ディスク）１３３、及び第４媒体１３４にそれぞれ設定されたディレクトリの階層構造におけるフォルダとコンテンツとの関係に従うことなく、フォルダアイコンとコンテンツアイコンとが表示される。この例では、格納部８０のフォルダＦ２と第１媒体１３１のフォルダＦ３と第４媒体１３４のフォルダＦ６とが表示対象として許容され、これらのフォルダＦ３，Ｆ４，Ｆ６に表示対象となるコンテンツが含まれている場合に、フォルダＦ３，Ｆ４，Ｆ４が表示対象とされると共に、各フォルダＦ３，Ｆ４，Ｆ６のフォルダアイコンの下層に表示対象となるコンテンツが表示される。各フォルダＦ３，Ｆ４，Ｆ６の何れにも含まれない表示対象のコンテンツ（表示対象である格納元のコンテンツであって、そのコンテンツの上層に表示対象のフォルダが存在しない場合）は、第１のアイコン縦配列７２に含める。
【００８３】
初期設定状態の論理ビューにおいて、交叉領域７６に写真アイコン５２が位置する場合、表示対象となるコンテンツは上記物理ビューと同様に写真フォルダに限定され、図１８に示すように、第１のアイコン縦配列７２における表示対象は、フォルダＦ２，Ｆ３と写真フォルダｆ１０，ｆ１１，ｆ１２となる。フォルダＦ２を示すフォルダアイコンが注目領域７５に位置した状態でユーザからの決定指示を受けた場合、第２のアイコン縦配列１２０における表示対象は、写真ファイルｆ４，ｆ５，ｆ６となる。フォルダＦ３を示すフォルダアイコンが注目領域７５に位置した状態でユーザからの決定指示を受けた場合、第２のアイコン縦配列１２０における表示対象は、写真ファイルｆ７，ｆ８，ｆ９となる。
【００８４】
また、論理ビューでは、ユーザによる初期設定状態からの設定変更により、新たなフォルダを表示上仮想的に設定し、所定のコンテンツを新たに設定したフォルダの下層に表示することも可能である。例えば、図１９に示すように、図１８の状態から第１のアイコン縦配列７２にフォルダＦ７を仮想的に設定し、このフォルダＦ７の下層の第２のアイコン縦配列１２０に、任意の写真ファイル（この例では写真ファイルｆ１０，ｆ１２）を含ませてもよい。
【００８５】
初期設定状態の論理ビューにおいて、交叉領域７６に音楽アイコン５４が位置する場合、表示対象となるコンテンツは物理ビューと同様に音楽ファイルに限定され、第１のアイコン縦配列７２及び第２のアイコン縦配列１２０のそれぞれにおける表示対象は、図２０に示すとおりとなる。また、初期設定状態の論理ビューにおいて、交叉領域７６に動画アイコン５６が位置する場合、表示対象となるコンテンツは物理ビューと同様に動画ファイルに限定され、第１のアイコン縦配列７２及び第２のアイコン縦配列１２０のそれぞれにおける表示対象は、図２１に示すとおりとなる。
【００８６】
次に、初期設定状態の論理ビューにおいて、交叉領域７６に動画アイコン５６が位置する場合（ユーザが機能アイコンとして動画アイコン５６を指定した場合）を例にとって、メニュー画面５０の状態を説明する。
【００８７】
機能アイコン配列７０を左右方向に移動させて、交叉領域７６に動画アイコン５６を位置させると、図２２に示すように、交叉領域７６の直ぐ下方の注目領域７５にフォルダＦ２を示すフォルダアイコンが注目アイコン６４として表示され、さらにその下方に、第１のアイコン縦配列７２としてフォルダＦ３を示すフォルダアイコン１２２と動画ファイルｖ５，ｖ６を示すコンテンツアイコン１２３が順次並んで表示される。このとき、注目アイコン６４の隣接領域（本実施形態では右側）には、フォルダＦ２に関する情報（ＥＥＥ）６５が表示される。なお、フォルダＦ２に関する情報として、物理ビューとは異なる内容を表示してもよい。
【００８８】
次に、第１のアイコン縦配列７２を上方へ移動させると、図２３に示すように、注目領域７５にフォルダＦ３を示すフォルダアイコンが注目アイコン６４として表示され、注目アイコン６４の隣接領域に、フォルダＦ３に関する情報（ＢＢＢ）６５が表示される。このとき、フォルダＦ２を示すフォルダアイコン１２２は、機能アイコン（動画アイコン５６）の上方へ移動する。なお、フォルダＦ３に関する情報（ＢＢＢ）６５として、上記物理ビューとは異なる情報を表示してもよい。
【００８９】
この状態で、ユーザが決定指示を入力すると、図２４に示すように、機能アイコン配列７０と第１のアイコン縦配列７２とが全体的に左方向に移動し、機能アイコン配列７０のうち交叉領域７６よりも右側の機能アイコンが非表示となり、注目領域７５に動画ファイルｖ３を示すコンテンツアイコンが注目アイコン６４として表示され、動画ファイルｖ３の下方に、第２のアイコン縦配列１２０としての動画ファイルｖ４を示すコンテンツアイコン１２３が表示される。このとき、フォルダＦ３を示すフォルダアイコン１２２は、通常の表示状態に戻る。また、注目アイコン６４の隣接領域に、物理ビューの場合と同様に、動画ファイルｖ３に関する情報（例えば、動画の内容を表す「世界紀行」の文字と、撮像年月日を表す「２００４．５．１」の文字）６５が表示される。なお、動画ファイルｖ３に関する情報として、物理ビューとは異なる内容を表示してもよい。
【００９０】
この状態で、さらにユーザが決定指示を入力すると、動画ファイルｖ３の再生が開始される。
【００９１】
このように、物理ビューでは表示対象となる外部メディアの全てのフォルダを表示対象とし、さらにフォルダ及びコンテンツをディレクトリの階層構造を反映した状態で表示している。これに対し、論理ビューでは表示対象とするフォルダを限定している。また、論理ビューでは、ディレクトリの階層構造に従うことなく、第１のアイコン縦配列７２の表示対象にコンテンツが含まれる。従って、ユーザは、物理ビューと論理ビューとを適宜切り替えることにより、目的に合ったメニュー画面を表示させることができ、利便性が向上する。例えば、再生目的でコンテンツを探す場合には、表示対象となるフォルダが制限された論理ビューが適する。また、コンテンツが格納された場所（格納元やフォルダ）を調べる場合には、ディレクトリの階層構造に従って表示される物理ビューが適する。
【００９２】
＜コピー処理の説明＞
外部メディア３６，３８，４５，４６に格納されたコンテンツをデータ格納部８０にコピーする場合、ユーザは、まずメニュー画面５０を表示し、コピー対象のコンテンツを示すコンテンツアイコン１２３又はフォルダを示すフォルダアイコン１２２を注目領域７５に位置させた状態（所望のコンテンツ又はフォルダを指定した状態）に設定する。この状態で、所定の操作入力を行うことによって、オプションのコピー実行画面を表示させる。コピー実行画面の画像データは、表示制御部４８によって生成されて表示出力部４９に出力される。最後に、コピー実行画面内に表示された指示に従って、コピーを開始させるための所定の指示入力を行う。
【００９３】
ここで、外部メディア３６，３８，４５，４６に格納されたコンテンツに、マルチメディア再生装置２０が格納元から直接再生することは許容されているが、他の媒体へのコピーについては禁止されているものが含まれている場合がある。なお、コピーが禁止されているものには、予めコピー禁止の設定がなされているコンテンツ（例えば、コピー処理が実行できないデータ構造を有するコンテンツ）の他、コンテンツのデータファイルをコピーすることは可能であるが、コピーされたコンテンツを再生することができず、コピーの実質的な機能を許容しないもの（例えば、コンテンツが格納元に関連付けられており、コンテンツのデータファイルを格納部８０にコピーしただけでは格納部８０から読み出して再生できないもの）も含まれる。
【００９４】
このため、本実施形態のコピー処理では、コピーが禁止されているコンテンツがコピー対象として指定されたときは、コピー実行画面の表示を行わず、コピー処理の開始を禁止する。また、フォルダがコピー対象として指定されたときは、「コピーが禁止されているコンテンツはコピーされない」などのようにユーザに注意を促す文章をコピー実行画面に表示し、この注意表示と共に、コピーの開始を指示する場合の操作入力を画面に表示する。コピーの開始が指示されると、コピー制御部８１は、ユーザによって指定されたフォルダに含まれるコンテンツのうち、コピーが禁止されているものを除く他の全てのコンテンツを、外部メディア３６，３８，４５，４６から格納部８０へコピーする。
【００９５】
なお、コピー対象としてフォルダが指定された場合、そのフォルダに含まれるコンテンツのうちコピーが禁止されているものを除く他の全てのコンテンツがコピー処理の対象となるが、物理ビューにおいてフォルダに含まれるコンテンツは、選択された機能アイコンに対応して表示対象とされたコンテンツに限定してもよく、表示対象ではないがディレクトリの階層構造においてそのフォルダに含まれる他のコンテンツを含めてもよい（例えば、写真ファイルと動画ファイルとが格納されたフォルダがコピー対象として指定され、且つ機能アイコンとして写真アイコンが選択されている場合、画面に表示された写真ファイルのみをコピー処理の対象としてもよく、写真ファイルに加えて画面に表示されていない動画ファイルをコピー対象に含めてもよい）。また、論理ビューの場合には、表示態様がディレクトリの階層構造と相違する場合があるため、コピー処理の対象を、メニュー画面での表示上そのフォルダの下層として存在するコンテンツに限定してもよい。また、コピー制御部８１は、フォルダのコピーを実行する場合、そのフォルダに含まれており且つコピーが禁止されていないコンテンツ（例えば、コピーが禁止されていない動画ファイル）に関連付けられているサムネイルファイル（例えば、動画ファイルのサムネイルファイル）などの付属情報を、コピー対象のコンテンツと共に、格納部８０へコピーしてもよい。なお、サムネイルファイルなどの関連情報は、コピー対象のコンテンツと同じフォルダ（すなわち、コピー処理の対象として指定されたフォルダ）に保存されているものであってもよく、また、同じフォルダではない他のフォルダに保存されているものであってもよい。また、コピーが禁止されているコンテンツか否かは、コンテンツのデータのフォーマット形式によって判断することができる。
【００９６】
次に、コピー制御部８１が実行するコピー処理（表示制御部４８が実行する画像生成処理を含む）について、図２５のフローチャートに基づいて説明する。
【００９７】
本処理は、メニュー画面５０においてコンテンツアイコン１２３又はフォルダアイコン１２２が注目領域７５に位置した状態で、コピー開始画面を表示させるためのユーザからの所定の指示操作を、操作部４０が取得することによって開始する。
【００９８】
本処理が開始されると、コピー制御部８１は、コンテンツが指定されたか否かを判定し（ステップＳ１）、コンテンツが指定されていると判定した場合、指定されたコンテンツがコピーが禁止されているコンテンツか否かを判定する（ステップＳ２）。
【００９９】
ステップＳ２において、コピーが禁止されているコンテンツではないと判定した場合、コピー制御部８１は、コピー開始画面の表示を表示制御部４８に指示し（ステップＳ３）、ステップＳ４へ進む。このコピー開始画面は、コピー対象となるコンテンツを特定する情報と、「コピーを開始する」等の文章と、コピーを開始する場合の操作入力とコピーを開始せずに処理を終了する場合の操作入力とを選択的に実行することをユーザに促す表示とを含む。
【０１００】
一方、ステップＳ２において、処理の終了を指示する操作入力であると判定した場合（ＮＯ）、まだメニュー画面が表示された状態であるため、そのまま処理を終了する。
【０１０１】
ステップＳ４では、ユーザからの入力操作がコピーの開始を指示する操作入力であるか、又は処理の終了を指示する操作入力であるかを判定する。コピーの開始を指示する操作入力であると判定した場合（ＹＥＳ）、ステップＳ５へ進み、コピー処理を開始する。
【０１０２】
コピー処理中は、コピー制御部８１は、格納部８０へのコンテンツのコピーを実行すると共に、コピー中であることを報知するコピー実行報知画面の表示を表示制御部４８に指示する。コピー実行報知画面は、コピー実行中のコンテンツを特定する情報と、コピー中であることを報知する文章と、コピーを中止する場合の操作入力をユーザに報知する表示と、コピーの進行状況を模式的に表す図やコンテンツの全体のデータ量に対するコピー済みのデータ量の割合を示す数値とを含んでもよい。コピー処理が完了すると、コピー制御部８０は、コピー終了報知画面の表示を表示制御部４８に指示して、ステップＳ５の処理を終了する。ステップＳ５の終了は、ユーザからの確認指示を待って行ってもよい。また、コピー実行報知画面の表示中にユーザによりコピーの中止が指示されると、コピー制御部８１は、中止しても良いかをユーザに確認するための中止確認画面の表示を表示制御部４８に指示する。中止確認画面において、ユーザから再度コピーの中止が指示されると、コピー制御部８１は、コピー処理を途中で中止して、ステップＳ５の処理を終了する。また、コピーが失敗した場合、コピー制御部８１は、エラー報知画面の表示を表示制御部４８に指示して、ステップＳ５の処理を終了する。
【０１０３】
ステップＳ５の処理が終了すると、ステップＳ６へ進み、メニュー画面を表示して、本処理を終了する。
【０１０４】
また、ステップＳ４において、処理の終了を指示する操作入力であると判定した場合（ＮＯ）、ステップＳ６へ進み、メニュー画面を表示して、本処理を終了する。
【０１０５】
また、ステップＳ１において、コンテンツが指定されていない（フォルダが指定されている）と判定した場合、コピー開始画面の表示を表示制御部４８に指示し（ステップＳ７）、ステップＳ８へ進む。このコピー開始画面は、コピー対象となるコンテンツを特定する情報と、「コピーが禁止されているコンテンツはコピーされない」などのようにユーザに注意を促す文章と、コピーを開始する場合の操作入力とコピーを開始せずに処理を終了する場合の操作入力とを選択的に実行することをユーザに促す表示とを含む。
【０１０６】
ステップＳ８では、ユーザからの入力操作がコピーの開始を指示する操作入力であるか、又は処理の終了を指示する操作入力であるかを判定する。コピーの開始を指示する操作入力であると判定した場合（ＹＥＳ）、ステップＳ９へ進む。
【０１０７】
ステップＳ９では、コピー制御部８０は、格納部８０の空き容量を検出し、指定されたファイルの含まれるコンテンツのうちコピーが禁止されたコンテンツを除いたコピー処理の対象となる全てのコンテンツの総データ量に対し、格納部８０に十分な空き容量があるか否か（容量不足か否か）を判定する（ステップＳ１０）。
【０１０８】
ステップＳ１０において、格納部８０の容量が不足していると判定した場合、コピー制御部８１は、空き容量不足であることを報知する容量不足報知画面の表示を表示制御部４８に指示し（ステップＳ１１）、ステップＳ１２へ進む。この容量不足報知画面は、空き容量が不足しているためにコピーが途中で中止される可能性があること報知する文章と、コピーを開始する場合の操作入力とコピーを開始せずに処理を終了する場合の操作入力とを選択的に実行することをユーザに促す表示とを含む。
【０１０９】
ステップＳ１２では、ユーザからの入力操作がコピーの開始を指示する操作入力であるか、又は処理の終了を指示する操作入力であるかを判定する。コピーの開始を指示する操作入力であると判定した場合（ＹＥＳ）、ステップＳ１３へ進み、コピー処理を開始する。
【０１１０】
また、ステップＳ１０において、格納部８０の容量が不足していないと判定した場合も、ステップＳ１３へ進み、コピー処理を開始する。
【０１１１】
コピー処理中は、コピー制御部８１は、指定されたフォルダに含まれるコンテンツのうち、コピーが禁止されているものを除く他の全てのコンテンツを、外部メディア３６，３８，４５，４６から格納部８０へコピーする。また、コピー中であることを報知するコピー実行報知画面の表示を表示制御部４８に指示する。コピー実行報知画面は、コピー実行中のフォルダ又はコンテンツを特定する情報と、コピー中であることを報知する文章と、コピーを中止する場合の操作入力をユーザに報知する表示と、コピーの進行状況を模式的に表す図やコンテンツの全体のデータ量に対するコピー済みのデータ量の割合を示す数値とを含んでもよい。コピーの進行状況に関する情報は、コンテンツ毎に表示してもよい。また、格納部８０へのコンテンツのコピーは、格納部８０のうちユーザから指定されたディレクトリに、コピー対象のフォルダと同じ名称のフォルダを作成し、作成したフォルダにコンテンツを格納してもよい。コピー処理が完了すると、コピー制御部８０は、コピー終了画面の表示を表示制御部４８に指示して、ステップＳ５の処理を終了する。ステップＳ１３の終了は、ユーザからの確認指示を待って行ってもよい。また、コピー実行報知画面の表示中にユーザによりコピーの中止が指示されると、コピー制御部８１は、中止しても良いかをユーザに確認するための中止確認画面の表示を表示制御部４８に指示する。中止確認画面において、ユーザから再度コピーの中止が指示されると、コピー制御部８１は、コピー処理を途中で中止して、ステップＳ１１の処理を終了する。また、コピーが失敗した場合や容量不足によって全てのコンテンツをコピーできなかった場合、コピー制御部８１は、エラー報知画面又はコピー失敗報知画面の表示を表示制御部４８に指示して、ステップＳ１３の処理を終了する。
【０１１２】
ステップＳ１３の処理が終了した場合、又はステップＳ８においてユーザからの入力操作が処理の終了を指示する操作入力であると判定した場合（ＮＯ）は、ステップＳ６へ進み、本処理を終了する。
【０１１３】
なお、上記処理では、コピーが禁止されているコンテンツがコピー対象として直接指定された場合、コピー開始画面を表示せずに処理を終了しているが、コピー開始画面を表示し、ユーザからコピー開始の指示を受けた後に、エラーとして処理を終了してもよい。この場合、処理の終了前にコピー開始画面をメニュー画面に戻す。
【０１１４】
このように、上記コピー処理によれば、コピーが禁止されているコンテンツを含むフォルダをコピー対象として指定した場合であっても、コピーの途中で処理が中断したり、マルチメディア再生装置２０によって再生できない状態でコンテンツのデータが不要にコピーされてしまうことを防止できるので、ユーザにとっての利便性が向上する。
【０１１５】
また、上記ステップＳ１３では、フォルダに含まれる全てのコンテンツに対してコピーが禁止されているものであるか否かを判定するコピー禁止判定処理を個別に行う。ここで、コピー禁止判定処理を実行する前に、コピーが禁止されたファイルを含む可能性が高い特定のディレクトリに当該フォルダが存在しているか否かを判定する特定ディレクトリ判定処理を実行し、特定のディレクトリに当該フォルダが存在していると判定した場合にコピー禁止判定処理を行い、存在しないと判定した場合にコピー禁止判定処理を行わずに全てのコンテンツをコピーしてもよい。なお、上記特定ディレクトリ判定処理は、ステップＳ１においてコンテンツが指定されていないと判定した後で、且つコピー禁止判定処理よりも前であれば、何れのタイミングで行ってもよい。このように、コピーが禁止されているコンテンツを含む可能性が高いフォルダに限定してコピー禁止判定処理を実行することにより、コピー処理による負荷を軽減することができ、処理時間の短縮を図ることができる。
【０１１６】
[第２実施形態]
第２実施形態は、コンテンツの各格納元（外部メディア３６，３８，４５，４６及び格納部８０）に対して、個別にデフォルトビュー（基本の表示態様）が設定され、格納元のデフォルトビューの設定に従ってメニュー画面５０にフォルダアイコン及びコンテンツアイコンを表示する点で、メニュー画面５０全体の表示態様が物理ビュー又は論理ビューに設定される上記第１実施形態と相違する。なお、上記第１実施形態と同様の部分については、重複する説明を省略する。
【０１１７】
図２６に示すように、コンテンツの各格納元にはそれぞれデフォルトビューが設定されている。例えば、格納部８０、光ディスク３６のうち規格ディスク、メモリカード３８、他の装置４４の記憶媒体４５及び他の装置４４に装着又は接続された記憶媒体４６に対しては、デフォルトビューとして論理ビューが設定され、光ディスク３６のうちデータディスクに対しては、デフォルトビューとして物理ビューが設定されている。表示制御部４８は、メニュー画面５０の画像データを生成する際に、各格納元のデフォルトビューに応じて各格納元毎に表示対象とするフォルダアイコン及びコンテンツアイコンを決定する。すなわち、第１のアイコン縦配列７２の表示において、各格納元のデフォルトビューに従って、その格納元のファイル及びコンテンツに対して表示対象とするか否かが決定され、この点において第１実施形態と相違する。
【０１１８】
例えば、マルチメディア再生装置２０が、データディスク１３０、格納部８０、第１媒体１３１、第２媒体１３２、第３媒体１３３、及び第４媒体１３４からそれぞれコンテンツを再生可能であり、各格納元が、図８〜図１３に示すディレクトリの階層構造を有し、第１媒体１３１と第２媒体１３２と第４媒体１３４とが、それぞれ規格ディスク、メモリカード３８、他の装置の記憶媒体４５又は他の装置に装着又は接続された記憶媒体４６の何れかであり、第３記憶媒体１３３が規格ディスクであり、各格納元の物理ビュー及び論理ビューのアイコン縦配列が図１４〜図２１に示すように設定されており、機能アイコンとして動画アイコン５６が指定された場合を例にとって、本実施形態のメニュー画面５０の表示を説明する。
【０１１９】
格納部８０、第１媒体１３１、第２媒体１３２、第３媒体１３３及び第４媒体１３４に対しては、デフォルトビューとして論理ビューが設定され、データディスク１３０に対しては、デフォルトビューとして物理ビューが設定されている（図２６参照）。
【０１２０】
従って、図２７に示すように、第１のアイコン縦配列７２には、フォルダＦ１，Ｆ２，Ｆ３をそれぞれ示すフォルダアイコン１２２（フォルダＦ１は注目アイコン６４）と、動画ファイルｖ５，ｖ６をそれぞれ示すコンテンツアイコン１２３とが、縦方向に並んで表示される。これらのうち、フォルダＦ１を示すフォルダアイコン（注目アイコン６４）は、物理ビューによって表示され、フォルダＦ２，Ｆ３をそれぞれ示すフォルダアイコン１２２と、動画ファイルｖ５，ｖ６をそれぞれ示すコンテンツアイコン１２３とは、論理ビューによって表示される。
【０１２１】
このため、ユーザがフォルダＦ１を指定して展開した場合の第２のアイコン縦配列１２０は、物理ビューに従って表示される。すなわち、図２８に示すように、第２のアイコン縦配列１２０には、写真フォルダＦＦ１と音楽フォルダＭＦ１と動画フォルダＶＦ１とデータフォルダＤＦ１とをそれぞれ示すフォルダアイコン１２２が、縦方向に並んで表示される。一方、図２７に示す第１のアイコン縦配列７２において、ユーザが動画ファイルｖ５，ｖ６を指定すると、動画ファイルｖ５，ｖ６がそれぞれ再生される。
【０１２２】
さらに、図２８に示す第２のアイコン縦配列１２０において、ユーザが動画フォルダＶＦ１を指定して展開した場合の第３のアイコン縦配列１２１も、物理ビューに従って表示される。すなわち、図２９に示すように、第３のアイコン縦配列１２１には、動画ファイルｖ１を示すコンテンツアイコン１２３が表示され、ユーザが動画ファイルｖ１をさらに指定すると、動画ファイルｖ１が再生される。
【０１２３】
これに対し、ユーザがフォルダＦ２，Ｆ３を指定して展開した場合の第２のアイコン縦配列１２０は、論理ビューに従って表示される。例えば、フォルダＦ３が指定されると、図３０に示すように、第２のアイコン縦配列１２０には動画ファイルｖ３，ｖ４とをそれぞれ示すコンテンツアイコン１２３が、縦方向に並んで表示され、ユーザが動画ファイルｖ３，ｖ４をさらに指定すると、動画ファイルｖ３，ｖ４がそれぞれ再生される。なお、この第２のアイコン縦配列１２０は、図２４に示す配列と同じである。
【０１２４】
このように、本実施形態では、コンテンツの格納元毎にデフォルトビューが設定され、格納元のデフォルトビューの設定に従ってメニュー画面５０にフォルダアイコン及びコンテンツアイコンが表示されるので、デフォルトビューを各格納元の特性に応じて設定しておくことにより、ユーザの利便性がさらに向上する。
【０１２５】
[第３実施形態]
第３実施形態は、あるフォルダをアイコン縦配列に展開表示した状態で、そのアイコン縦配列の表示態様を、ユーザからの指示によって切り替えることが可能な点で、上記第１実施形態及び第２実施形態と相違する。なお、上記第１実施形態及び第２実施形態と同様の部分については、重複する説明を省略する。
【０１２６】
本実施形態では、あるフォルダがユーザによって指定され、そのフォルダが物理ビュー又は論理ビューの一方の表示態様に従ってアイコン縦配列に展開表示されているとき、操作部４０がユーザから表示態様を切り替えるための入力指示（表示態様設定指示）を取得すると、表示制御部４８は、そのアイコン縦配列が他方の表示態様に従って展開表示されるように画像データを生成する。アイコン縦配列の表示態様を変更する場合、その上層の他のアイコン縦配列の表示態様は、変更前の状態に維持してもよく、また変更対象のアイコン縦配列の表示態様に合わせて変更してもよい。また、表示態様を切り替えるためのユーザによる指示操作は、コントローラ４２の所定の操作ボタンの押下であってもよい。
【０１２７】
例えば、図２４又は図３０に示すように、機能アイコンとして動画アイコン５６が指定され、第１のアイコン縦配列７２においてフォルダＦ３を示すフォルダアイコン１２２が指定され、フォルダＦ３が論理ビューに従って第２のアイコン縦配列１２０に展開表示されているとき、ユーザから表示態様を切り替えるための入力指示があると、図３１に示すように、第２のアイコン縦配列１２０が物理ビューに従った表示に切り替わり、第２のアイコン縦配列１２０には、写真フォルダＦＦ４及び動画フォルダＶＦ３，ＶＦ４をそれぞれ示すフォルダアイコン１２２が縦方向に並んで表示される。なお、図３１は、図２４に対応した図であり、図３０に対応する図については、図３０の第２のアイコン縦配列１２０を図３１の第２の第２のアイコン配列１２０に置き換えたものであるため、その図示を省略している。
【０１２８】
また、フォルダの表示態様の切り替えは、そのフォルダの格納元が物理ビュー及び論理ビューの双方に設定可能である格納元に限って許容される。また、初期設定状態で物理ビューには設定不可能な格納元であっても、表示初期設定状態から設定変更されることによって物理ビューによる表示が可能となる場合や、デフォルトビューが論理ビューである場合には、その格納元についても表示態様の切り替えを許容してもよい。
【０１２９】
このように、本実施形態では、フォルダを展開表示している状態で、ユーザが任意にコンテンツの格納元毎にデフォルトビューが設定され、格納元のデフォルトビューの設定に従ってメニュー画面５０にフォルダアイコン及びコンテンツアイコンが表示されるので、デフォルトビューを各格納元の特性に応じて設定しておくことにより、ユーザの利便性がさらに向上する。
【０１３０】
[第４実施形態]
第４実施形態は、上記第２実施形態の変形例であり、第１のアイコン縦配列７２については、予め定められた所定の設定に従って表示する点で、上記第１及び第２実施形態と相違する。
【０１３１】
第１のアイコン縦配列７２についての所定の設定とは、例えば、格納部８０以外の外部メディアをそれぞれ示すアイコンを縦方向に順次配置し、その下方に、格納部８０に対応するアイコンを論理ビューに従って配置する。このとき、格納部８０にこれを総括する一つの代表フォルダが設定されている場合には、そのフォルダの下層から論理ビューに従ってアイコンを表示する。そして、第１のアイコン縦配列７２の各アイコンを指定して展開表示する場合には、第２のアイコン縦配列１２０には、指定したアイコンに対応する格納元のデフォルトビューに従って、フォルダアイコン及びコンテンツアイコンを表示する。
例えば、上記第２実施形態と同様に、マルチメディア再生装置２０が、データディスク１３０、格納部８０、第１媒体１３１、第２媒体１３２、第３媒体１３３、及び第４媒体１３４からそれぞれコンテンツを再生可能であり、各格納元が、図８〜図１３に示すディレクトリの階層構造を有し、第１媒体１３１と第２媒体１３２と第４媒体１３４とが、それぞれ規格ディスク、メモリカード３８、他の装置の記憶媒体４５又は他の装置に装着又は接続された記憶媒体４６の何れかであり、第３記憶媒体１３３が規格ディスクであり、各格納元の物理ビュー及び論理ビューのアイコン縦配列が図１４〜図２１に示すように設定されており、機能アイコンとして動画アイコン５６が指定された場合を例にとって、本実施形態のメニュー画面５０の表示を説明する。
【０１３２】
格納部８０、第１媒体１３１、第２媒体１３２、第３媒体１３３及び第４媒体１３４に対しては、デフォルトビューとして論理ビューが設定され、データディスク１３０に対しては、デフォルトビューとして物理ビューが設定されている（図２６参照）。
【０１３３】
また、データディスク１３０、格納部８０、第１媒体１３１、第２媒体１３２、第３媒体１３３、及び第４媒体１３４には、それぞれ代表フォルダＦ１，Ｆ２，Ｆ３，Ｆ４，Ｆ５，Ｆ６が設定されている。
【０１３４】
図３２に示すように、第１のアイコン縦配列７２には、データディスク１３０を示すフォルダＦ１のフォルダアイコン（注目アイコン６４）、第１媒体１３１を示すフォルダＦ３のフォルダアイコン１２２、第２媒体１３２を示すフォルダＦ４のフォルダアイコン１２２、第３媒体１３３を示すフォルダＦ５のフォルダアイコン１２２、及び第４媒体１３４を示すフォルダＦ６のフォルダアイコン１２２が、縦方向に配置され、その下方に、格納部８０を論理ビューで表示した場合にフォルダＦ２の次の階層（下層）に存在する動画ファイルｖ２のコンテンツアイコン１２３が表示される。各フォルダアイコン１２２を展開すると、第２のアイコン縦配列は、そのフォルダに対応する格納元のデフォルトビューに従って表示される。例えば、データディスク１２０を示すフォルダＦ１を展開したときの第２のアイコン縦配列は、物理ビューに従って表示され、第１媒体１３１、第２媒体１３２、第３媒体１３３及び第４媒体１３４をそれぞれ示すフォルダＦ３，Ｆ４，Ｆ５，Ｆ６をそれぞれ展開したときの第２のアイコン縦配列は、論理ビューに従って表示される。また、これらのフォルダアイコンに代えて、各外部メディアを象徴するメディアアイコンを表示してもよい。
【０１３５】
なお、上記実施形態では、マルチメデイア再生装置２０について説明したが、上記メニュー画面の表示は、例えば単一の記憶媒体からコンテンツを読み出して再生する再生装置においても用いることができる。例えば、内蔵ハードディスク又は一つの外部メディアからの再生機能のみを有する再生装置においも、メニュー画面の表示態様として、物理ビューと論理ビューとを選択的に切り替えて表示させることができる。
【０１３６】
また、上記メニュー画面の表示は、一種類のコンテンツのみを再生可能な再生装置（例えば、音楽データファイルのみを再生可能な再生装置）においても用いることができる。
【０１３７】
また、上述のマルチメディア再生装置２０においては、表示手段として機能するテレビジョン受像機３０や、操作手段として機能するコントローラ４２を装置本体と別体で構成した。しかし、本発明に係るマルチメディア再生装置２０は、表示手段や操作手段を装置本体と一体的に構成するようにしても良く、更に、携帯型の装置として構成するようにしても良い。
【０１３８】
上述の各実施の形態の説明は本発明の一例である。このため、本発明は上述の各実施の形態に限定されることはなく、本発明に係る技術的思想を逸脱しない範囲であれば、上述の実施の形態以外であっても種々の変更が可能であることは勿論である。
【産業上の利用可能性】
【０１３９】
本発明は、コンテンツ再生機能の種類を象徴する複数の機能アイコンと、コンテンツの項目を象徴する複数のコンテンツアイコンとを二次元配列した形でメニュー画面を表示するマルチメディア再生装置に適用可能である。
【図面の簡単な説明】
【０１４０】
【図１】本発明の第１実施形態に係るマルチメディア再生システムの基本的な構成を示す模式図である。
【図２】図１のマルチメディア再生装置の構成を示す機能ブロック図である。
【図３】マルチメディア再生装置により生成される物理ビューのメニュー画面を示す模式図である。
【図４】マルチメディア再生装置により生成される物理ビューのメニュー画面を示す模式図である。
【図５】マルチメディア再生装置により生成される物理ビューのメニュー画面を示す模式図である。
【図６】マルチメディア再生装置により生成される物理ビューのメニュー画面を示す模式図である。
【図７】マルチメディア再生装置により生成される物理ビューのメニュー画面を示す模式図である。
【図８】データディスクのディレクトリの階層構造を示す模式図である。
【図９】格納部のディレクトリの階層構造を示す模式図である。
【図１０】第１媒体のディレクトリの階層構造を示す模式図である。
【図１１】第２媒体のディレクトリの階層構造を示す模式図である。
【図１２】第３媒体のディレクトリの階層構造を示す模式図である。
【図１３】第４媒体のディレクトリの階層構造を示す模式図である。
【図１４】交叉領域の機能アイコンが写真アイコンである場合の初期設定状態での物理ビューのアイコン縦配列を階層的に示す模式図である。
【図１５】交叉領域の機能アイコンが写真アイコンである場合の初期設定状態から変更された物理ビューのアイコン縦配列を階層的に示す模式図である。
【図１６】交叉領域の機能アイコンが音楽アイコンである場合の初期設定状態での物理ビューのアイコン縦配列を階層的に示す模式図である。
【図１７】交叉領域の機能アイコンが動画アイコンである場合の初期設定状態での物理ビューのアイコン縦配列を階層的に示す模式図である。
【図１８】交叉領域の機能アイコンが写真アイコンである場合の初期設定状態での論理ビューのアイコン縦配列を階層的に示す模式図である。
【図１９】交叉領域の機能アイコンが写真アイコンである場合の初期設定状態から変更された論理ビューのアイコン縦配列を階層的に示す模式図である。
【図２０】交叉領域の機能アイコンが音楽アイコンである場合の初期設定状態での論理ビューのアイコン縦配列を階層的に示す模式図である。
【図２１】交叉領域の機能アイコンが動画アイコンである場合の初期設定状態での論理ビューのアイコン縦配列を階層的に示す模式図である。
【図２２】マルチメディア再生装置により生成される論理ビューのメニュー画面を示す模式図である。
【図２３】マルチメディア再生装置により生成される論理ビューのメニュー画面を示す模式図である。
【図２４】マルチメディア再生装置により生成される論理ビューのメニュー画面を示す模式図である。
【図２５】コピー処理のフローチャートである。
【図２６】各格納元に対して設定されている表示態様を示す図である。
【図２７】マルチメディア再生装置により生成される第２実施形態のメニュー画面を示す模式図である。
【図２８】マルチメディア再生装置により生成される第２実施形態のメニュー画面を示す模式図である。
【図２９】マルチメディア再生装置により生成される第２実施形態のメニュー画面を示す模式図である。
【図３０】マルチメディア再生装置により生成される第２実施形態のメニュー画面を示す模式図である。
【図３１】マルチメディア再生装置により生成される第３実施形態のメニュー画面を示す模式図である。
【図３２】マルチメディア再生装置により生成される第３実施形態のメニュー画面を示す模式図である。
【符号の説明】
【０１４１】
２０・・・マルチメディア再生装置、３０・・・テレビジョン受像機、３７・・・情報提供サーバ、４０・・・操作部、４２・・・コントローラ、４９・・・表示出力部、４８・・・表示制御部、５０・・・メニュー画面、 ８０・・・格納部、８１・・・コピー制御部
【図１】
2008077443.tif 000003
【図２】
2008077443.tif 000004
【図３】
2008077443.tif 000005
【図４】
2008077443.tif 000006
【図５】
2008077443.tif 000007
【図６】
2008077443.tif 000008
【図７】
2008077443.tif 000009
【図８】
2008077443.tif 000010
【図９】
2008077443.tif 000011
【図１０】
2008077443.tif 000012
【図１１】
2008077443.tif 000013
【図１２】
2008077443.tif 000014
【図１３】
2008077443.tif 000015
【図１４】
2008077443.tif 000016
【図１５】
2008077443.tif 000017
【図１６】
2008077443.tif 000018
【図１７】
2008077443.tif 000019
【図１８】
2008077443.tif 000020
【図１９】
2008077443.tif 000021
【図２０】
2008077443.tif 000022
【図２１】
2008077443.tif 000023
【図２２】
2008077443.tif 000024
【図２３】
2008077443.tif 000025
【図２４】
2008077443.tif 000026
【図２５】
2008077443.tif 000027
【図２６】
2008077443.tif 000028
【図２７】
2008077443.tif 000029
【図２８】
2008077443.tif 000030
【図２９】
2008077443.tif 000031
【図３０】
2008077443.tif 000032
【図３１】
2008077443.tif 000033
【図３２】
2008077443.tif 000034